(57)【要約】      （修正有）【課題】紙を完全に打ち抜かずに穿孔するパンチ刃を有し、使い勝手の良い穴開けパンチを提供する。【解決手段】この発明の穴開けパンチ１は、紙の穿孔に用いられるものであって、穿孔に当り紙が載置される紙載置面４を有し、紙にパンチ屑を係留させつつ穿孔可能な形状のパンチ刃５を設けたベース部材２と、ベース部材２に対して離隔・接近変位可能に構成され、ベース部材２に向けて接近変位するに伴い前記パンチ刃５が入り込むパンチ穴６を設けた可動部材３とを備え、前記ベース部材２が、少なくとも一部が前記紙載置面４より低い位置に存在する低位面８を有し、前記パンチ刃５の基部が前記低位面８に設けられてなるものである。【選択図】図２
2020097086.tif 000002
【特許請求の範囲】
【請求項１】
紙の穿孔に用いられる穴開けパンチであって、
穿孔に当り紙が載置される紙載置面を有し、紙にパンチ屑を係留させつつ穿孔可能な形状のパンチ刃を設けたベース部材と、ベース部材の紙載置面に対して離隔・接近変位可能に構成され、ベース部材に向けて接近変位するに伴い前記パンチ刃が入り込むパンチ穴を設けた可動部材とを備え、
前記ベース部材が、少なくとも一部が前記紙載置面より低い位置に存在する低位面を有し、前記パンチ刃の基部が前記低位面に設けられてなる穴開けパンチ。
【請求項２】
前記低位面が、前記紙載置面から離れるに従い、該紙載置面に対する位置が次第に低くなる傾斜面状をなす請求項１に記載の穴開けパンチ。
【請求項３】
前記パンチ刃の先端部が、前記紙載置面より高い位置に突き出してなる請求項１又は２に記載の穴開けパンチ。
【請求項４】
前記パンチ刃の先端部が、前記紙載置面と同等の高さであり、又は、該紙載置面より低い位置に突き出してなる請求項１又は２に記載の穴開けパンチ。
【請求項５】
前記ベース部材が、該ベース部材の側面から突出するパンチ刃支持部を有し、前記低位面が前記パンチ刃支持部上に設けられてなる請求項１〜４のいずれか一項に記載の穴開けパンチ。
【請求項６】
前記可動部材が、該可動部材の側面から突出して前記パンチ穴が形成されたパンチ穴形成部を有してなる請求項１〜５のいずれか一項に記載の穴開けパンチ。
【請求項７】
前記可動部材が、前記紙載置面との間で紙を挟み込む紙挟み部を有するとともに、前記パンチ穴の周囲に、前記ベース部材の紙載置面への近接姿勢で前記低位面に重なる整合面を有してなる請求項１〜６のいずれか一項に記載の穴開けパンチ。
【請求項８】
前記ベース部材及び可動部材のそれぞれに、前記ベース部材の紙載置面への可動部材の近接姿勢で、互いに引っ掛かって前記近接姿勢を維持させるロック機構が設けられてなる請求項１〜７のいずれか一項に記載の穴開けパンチ。
【請求項９】
前記ベース部材に、紙葉を綴じ込むための綴じ足を通すことのできる貫通孔と、前記貫通孔を通過した綴じ足を固定することが可能な綴じ足保持部とが設けられてなる請求項１〜８のいずれか一項に記載の穴開けパンチ。
【発明の詳細な説明】
【技術分野】
【０００１】
この発明は、たとえば紙葉の綴込み等に際する紙の穿孔に用いられる穴開けパンチに関するものであり、特には、ユーザの利便性を向上させることができる技術を提案するものである。
【背景技術】
【０００２】
この種の穴開けパンチとしては、たとえば、特許文献１〜７に記載されたものがある。
かかる穴開けパンチのなかには、概して、穿孔に当り紙が載置される紙載置面を有するベース部材と、ベース部材に対して離隔・接近変位可能に構成される可動部材とを備えるものがある。
【０００３】
ここで、上記の穴開けパンチは一般に、可動部材にパンチ刃が設けられるとともに、ベース部材に、貫通するパンチ孔が設けられる。この場合、ベース部材の紙載置面上に紙を載置し、可動部材をベース部材に向けて接近変位させることで、可動部材のパンチ刃が紙を穿孔しつつ、ベース部材のパンチ穴に入り込む。これにより、紙から完全に打ち抜かれたパンチ屑が発生するとともに、パンチ穴を通って排出されることがある。
【先行技術文献】
【特許文献】
【０００４】
【特許文献１】特開２００２−２３３９９３号公報
【特許文献２】特開２０１６−１１２８７６号公報
【特許文献３】特開２０１６−１１２６７７号公報
【特許文献４】特開平９−１５５７９５号公報
【特許文献５】特開平９−１５５７９６号公報
【特許文献６】登録実用新案第３０８２５３２号公報
【特許文献７】登録実用新案第３１８５８２０号公報
【発明の概要】
【発明が解決しようとする課題】
【０００５】
ところで、上述したような穴開けパンチでは、紙を完全に打ち抜いて穿孔することにより、紙と分離したパンチ屑が発生し、このことが、パンチ屑の散乱や廃棄の手間等を招く。
【０００６】
これに対しては、パンチ刃を、紙を完全に打ち抜かず一部を残して穿孔することにより紙にパンチ屑を係留させることができる形状のものにするという対策が考えられる。
但し、紙を完全に打ち抜かないパンチ刃は、可動部材側に設けると、紙の表面側から可動部材を接近させて打ち抜いた際に、紙に係留するパンチ屑が紙の裏面側に発生することになり、そのパンチ屑が、紙の裏面側からの綴じ足の挿入を阻害する。それ故に、紙を完全に打ち抜かないパンチ刃は、ベース部材側に設けることが望ましいと考えられる。
【０００７】
しかるに、紙を完全に打ち抜かずに穿孔するパンチ刃を、単純にベース部材に設けた場合は、ベース部材から突出する当該パンチ刃が穿孔後に紙に引っ掛かり、穴開けパンチから紙を取り外すことに手間がかかるという問題があった。
【０００８】
この発明は、このような問題を解決することを課題とするものであり、その目的は、紙を完全に打ち抜かずに穿孔するパンチ刃を有し、使い勝手の良い穴開けパンチを提供することにある。
【課題を解決するための手段】
【０００９】
この発明の穴開けパンチは、紙の穿孔に用いられるものであって、穿孔に当り紙が載置される紙載置面を有し、紙にパンチ屑を係留させつつ穿孔可能な形状のパンチ刃を設けたベース部材と、ベース部材の紙載置面に対して離隔・接近変位可能に構成され、ベース部材に向けて接近変位するに伴い前記パンチ刃が入り込むパンチ穴を設けた可動部材とを備え、前記ベース部材が、少なくとも一部が前記紙載置面より低い位置に存在する低位面を有し、前記パンチ刃の基部が前記低位面上に設けられてなるものである。
【００１０】
ここで、前記低位面は、前記紙載置面から離れるに従い、該紙載置面に対する位置が次第に低くなる傾斜面状をなすことが好ましい。
【００１１】
またここで、前記パンチ刃の先端部は、前記紙載置面より高い位置に突き出すものとすることができる。あるいは、前記パンチ刃の先端部は、前記紙載置面と同等の高さとし、又は、該紙載置面より低い位置に突き出すものとすることもできる。
【００１２】
前記ベース部材は、該ベース部材の側面から突出するパンチ刃支持部を有し、前記低位面が前記パンチ刃支持部上に設けられていることが好適である。
一方、前記可動部材は、該可動部材の側面から突出して前記パンチ穴が形成されたパンチ穴形成部を有することが好ましい。
【００１３】
なお、前記可動部材は、前記紙載置面との間で紙を挟み込む紙挟み部を有するとともに、前記パンチ穴の周囲に、前記ベース部材の紙載置面への近接姿勢で前記低位面に重なる整合面を有することが好ましい。
【００１４】
前記ベース部材及び可動部材のそれぞれには、前記ベース部材の紙載置面への可動部材の近接姿勢で、互いに引っ掛かって前記近接姿勢を維持させるロック機構が設けられていることが好ましい。
【００１５】
この発明の穴開けパンチは、前記ベース部材に、紙葉を綴じ込むための綴じ足を通すことのできる貫通孔と、前記貫通孔を通過した綴じ足を固定することが可能な綴じ足保持部とが設けられていることが好ましい。
【発明の効果】
【００１６】
この発明の穴開けパンチでは、ベース部材が、少なくとも一部が前記紙載置面より低い位置に存在する低位面を有し、前記パンチ刃の基部が前記低位面に設けられていることにより、パンチ刃の先端部を低く位置させても、確実に穿孔することが可能になる。その結果として、穿孔後にパンチ刃が紙に引っ掛かることを抑制できるので、穴開けパンチからの紙の取外しが容易になって、利便性を高くすることができる。
【図面の簡単な説明】
【００１７】
【図１】この発明の一の実施形態の穴開けパンチを示す斜視図である。
【図２】図１の穴開けパンチを、ベース部材の紙載置面に対する可動部材の離隔姿勢で示す斜視図である。
【図３】図１の穴開けパンチを、ベース部材の紙載置面に対する可動部材の近接姿勢で示す斜視図である。
【図４】図１の穴開けパンチの拡大側面図である。
【図５】図２の穴開けパンチの平面図である。
【図６】図１の穴開けパンチの部分拡大斜視図である。
【図７】図６の穴開けパンチの裏側を示す部分拡大斜視図である。
【図８】他の実施形態の穴開けパンチを示す斜視図である。
【図９】さらに他の実施形態の穴開けパンチを示す斜視図である。
【図１０】図９の穴開けパンチの部分拡大斜視図である。
【発明を実施するための形態】
【００１８】
以下に図面を参照しながら、この発明の実施の形態について詳細に説明する。
図１〜３に例示する穴開けパンチ１は、主として、いずれも実質的に平板その他のプレート状等をなすベース部材２及び可動部材３を備えるものであり、このうち、ベース部材２は、穿孔しようとする図示しない紙が載置される紙載置面４を有する。そして、この穴開けパンチ１では、ベース部材２と可動部材３とが、たとえば、長手方向の一方の側縁部で互いに、ヒンジ部もしくは薄肉屈曲部等により連結されていることにより、可動部材３を、当該一方の側縁部の周りで、ベース部材２に対して回動させることができる。これにより、可動部材３は、図１〜３の各図に示すように、ベース部材２の紙載置面４に対して離隔変位及び接近変位することができるように構成されている。
【００１９】
ベース部材２及び可動部材３のそれぞれの他方の側縁部側には、円筒もしくは円柱その他の所定の形状のパンチ刃５及び、そのパンチ刃５を内側に受け入れるパンチ穴６がそれぞれ、互いに所定の間隔をおいて各一対設けられている。
ここで、パンチ刃５は、穿孔後に発生するパンチ屑を紙に係留させつつ、つまり紙を完全に打ち抜かずに穿孔可能な形状とする。これにより、穿孔後に、パンチ屑が紙から分離することがないので、パンチ屑の散乱や廃棄の手間の問題を取り除くことができる。
【００２０】
仮に、このような紙にパンチ屑を係留させつつ穿孔できるパンチ刃を、可動部材に設けると、紙をベース部材の紙載置面上に載置し、文字等が書かれた紙の表面側から、当該紙載置面に向けて可動部材を接近変位させ、可動部材のパンチ刃で紙に穿孔した際に、紙の裏面側に、紙に係留するパンチ屑が発生することになる。この場合、その向きのまま紙を綴じ込むべく、フラットファイル等の綴じ足を、紙の穿孔で形成された綴じ穴に紙の裏面側から挿入しようとすれば、綴じ穴近傍に係留して裏面側にあるパンチ屑が、綴じ穴への綴じ足の挿入の邪魔になる。これを防ぐには、パンチ屑は、紙の表面側に飛び出すように形成されることが好ましい。
【００２１】
したがって、この実施形態では、ベース部材２にパンチ刃５を設けるとともに、可動部材３にパンチ穴６に設けている。それにより、通常は、穿孔した紙の綴じ穴近傍には、ベース部材２のある紙の裏面側からパンチ刃５で突き刺されたことに起因して、紙の表面側にパンチ屑が発生する。その結果、その向きで紙を綴じ込む際に、綴じ足を紙の裏面側から綴じ穴に挿入しやすくなる。
【００２２】
この穴開けパンチ１を用いて紙の穿孔を行うには、はじめに、ベース部材２の紙載置面４に対して可動部材３が離隔した姿勢で、紙を紙載置面４上に載置する。
次いで、可動部材３を一方の側縁部の周りで、ベース部材２に対して回動させて、可動部材３を、紙が載置された紙載置面４に向けて接近変位させる。このとき、可動部材３が紙載置面４に接近するに伴い、ベース部材２に設けたパンチ刃５が、紙載置面４上の紙の所定の位置に穿孔しながら、可動部材３に設けたパンチ穴６内に次第に入り込む。
【００２３】
可動部材３を紙載置面４に最も接近させると、可動部材３とベース部材２とが互いに重なり合って、可動部材３がベース部材２の紙載置面４に対して近接する姿勢になる。これにより、ベース部材２の紙載置面４と、可動部材３が有する紙挟み部７との間に、紙が挟み込まれるとともに、パンチ刃５がパンチ穴６内に入り込んで、紙への穿孔が完了する。
【００２４】
ここで、この穴開けパンチ１では、パンチ刃５を、紙にパンチ屑を係留させることのできる形状としているので、パンチ屑は紙から分離することなく、紙に係留されて形成される。またここでは、パンチ刃５をベース部材２に設けたことにより、パンチ刃５は、ベース部材２側を向く紙の裏面側から紙に突き刺さり、このことは、パンチ屑を、可動部材３側を向く紙の表面側に発生させる。
【００２５】
その後、可動部材３をベース部材２の紙載置面４に対して離隔変位させて、紙を穴開けパンチ１から取り外す。パンチ屑は、上述したように、紙の表面側に突出して形成されているので、紙を穿孔時の向きのまま、フラットファイル等に綴じ込む際に、その綴じ足を、紙のパンチ屑が形成されている表面側とは逆側の裏面側から、綴じ穴に挿入することを容易に行うことができる。
【００２６】
かかる穴開けパンチ１において、この発明では、図４に示す側面図から明らかなように、ベース部材２が、少なくとも一部が紙載置面４より低い位置に存在する低位面８を有するものとし、この低位面８上にパンチ刃５の基部を設ける。すなわち、パンチ刃５は、少なくとも一部が紙載置面４よりも低くなる低位面８上から立ち上がるように形成されている。
【００２７】
このことによれば、紙載置面４に直交する方向である高さ方向（図４では上下方向）で、パンチ刃５の基部を設ける低位面８が、紙載置面４と同じ高さの位置ではなく、紙載置面４よりも低い位置にあることから、パンチ刃５の先端部をある程度低くしても、紙を穿孔することが可能になる。そして、パンチ刃５の先端部を低くすることで、穿孔後にパンチ刃５が突き刺さっている紙の、穴開けパンチ１からの取外しを容易にすることができる。その結果として、紙のセットから穿孔及び、紙の取外しの一連の動作を円滑に行うことができて、穴開けパンチ１が使い勝手の良いものになる。
【００２８】
なおここで、低位面８について「低い位置に存在する」とは、低位面８の少なくとも一部、図示の例では低位面８の全体が、紙載置面４のある平面Ｐｓよりも、ベース部材２に対する近接姿勢の可動部材３から離れた位置にあることを意味する。つまり、図４に示すところでは、低位面８の少なくとも一部が、図４の上下方向で当該平面Ｐｓより下方側である低い側に位置することを意味する。
【００２９】
低位面８は、図示の実施形態のように、紙載置面４から側方に離れるに従い、その紙載置面４に対する位置が、側面視で直線状もしくは曲線状に、次第に低くなる傾斜面状をなすことが好適である。低位面８を、紙載置面４に対して傾斜する当該傾斜面状とすれば、可動部材３の近接姿勢で、紙を大きく変形させることなしに、紙への穿孔を行うことができる。たとえば、低位面を、紙載置面から段差を介する紙載置面と平行な面とすると、可動部材の近接姿勢で、その段差が紙に押し付けられて紙が大きく折れ曲がれることが懸念される。
【００３０】
パンチ刃５は、その基部が紙載置面４よりも低い位置にある低位面８に設けられるも、パンチ刃５の先端部は、図４に示すように、紙載置面４より高い位置に突き出すように形成されることができる。それにより、紙への穿孔、綴じ穴の形成をより確実に行うことが可能になる。これを言い換えれば、パンチ刃の先端部を、紙載置面と同等の高さ又は紙載置面よりも低い位置に配置した場合、可動部材の近接姿勢で、先端部が紙載置面より低い位置にあるパンチ刃に、紙の穿孔しようとする部分が十分に刺さらず、そこに所期したとおりの綴じ穴が形成されないおそれがある。
穴開けパンチからの紙の容易な取外しの観点等から、パンチ刃の先端部を、紙載置面と同等もしくはそれより低い位置に配置することが好ましい場合もある。ベース部材２の厚み等の他の設計に応じて、このような低いパンチ刃も可能になることがある。
なお、パンチ刃５は、そのパンチ刃５の外周面が紙載置面４のある平面Ｐｓに対して直交する向きで、低位面８から立ち上がるように設けることができる。
【００３１】
また、パンチ刃５は、たとえば、図示のような中空の円筒等の筒状又は、図示しない中実の円柱等の柱状で、その先端部の先端面の一箇所以上、たとえば周方向に１８０°の間隔をおいた二箇所が鋭利に突き出る形状等とすることができる。なお、パンチ刃５の先端面から突き出る箇所を複数設けた場合、図示のように、それらの高さが互いに異なるものとすることもできる。一方、パンチ穴６は、貫通せずに底がある穴形状とすることができる。これにより、ベース部材２に対する可動部材３の近接姿勢で、パンチ刃５がパンチ穴６内に入り込んだ際に、パンチ刃５の先端面がその突出箇所で部分的に、パンチ穴６の底に当接し、パンチ屑を係留しつつ紙を穿孔することができる。但し、パンチ刃５及びパンチ穴６はこのような形状に限らない。
【００３２】
この穴開けパンチ１では、平板状等のベース部材２が、他方の側縁部側で、そのベース部材２の側面から部分的に突出するパンチ刃支持部２ａを有し、それらの各パンチ刃支持部２ａの可動部材３側に、パンチ刃５が形成された上述した低位面８が設けられている。そして、図示の例では、パンチ刃支持部２ａの厚みを、可動部材３側で、紙載置面４から離れるに従って次第に薄くしたことにより、先に述べた傾斜面状の低位面８としている。
【００３３】
一方、平板状等の可動部材３は、他方の側縁部側で、該可動部材３の側面から突出するパンチ穴形成部３ａを有することができる。各パンチ穴６は、これらの各パンチ穴形成部３ａのベース部材２側に形成されている。
このように、ベース部材２及び可動部材３のそれぞれの側面から突出するパンチ刃支持部２ａ及びパンチ穴形成部３ａに、パンチ刃５及びパンチ穴６のそれぞれを設けることにより、後述するように、穴開けパンチ１で紙葉を綴じ込むために必要な構成を、ベース部材２及び可動部材３に形成することが容易になる。
【００３４】
また、この穴開けパンチ１の可動部材３は、パンチ穴６の周囲に、ベース部材２の紙載置面４への近接姿勢で低位面８に重なる整合面９を有する。パンチ穴６の周囲のこの整合面９は、可動部材３をベース部材２に向けて接近変位させて、可動部材３が紙載置面４に近接する姿勢にしたときに、パンチ刃５の周囲の低位面８に重なって、紙への所期した穿孔がより一層確実に行われるよう紙を案内するべく機能する。
なおここでは、低位面８は、紙載置面４に対して傾斜する傾斜面状としていることから、これに倣って整合面９も、図４に示すように傾斜面状としている。
【００３５】
図示の穴開けパンチ１では、図２に示すところから解かるように、ベース部材２と可動部材３との連結箇所である各ヒンジ部の近傍等に、ベース部材２の紙載置面４への可動部材３の近接姿勢を維持させる、たとえば一対のロック機構１０を設けている。このロック機構１０は一例として、ベース部材２に紙載置面４から突出させて設けられた係合凸部１０ａと、可動部材３に貫通等させて設けられて係合凸部１０ａが引っ掛かる係合凹部１０ｂ等にて構成することができる（図２参照）。図示は省略するが、ベース部材に係合凹部を設けるとともに、可動部材に係合凸部を設けてもよく、また、係合凹部は貫通しないものとすることもできる。
【００３６】
かかるロック機構１０は、可動部材３をベース部材２に近接させた際に、係合凸部１０ａと係合凹部１０ｂが引っ掛かることにより、可動部材３を当該近接姿勢でロックして、可動部材３のばたつきを防止することができる。
【００３７】
ところで、この穴開けパンチ１は、図示しない綴じ足を用いた紙葉の綴込みにも使用可能に構成されたものである。
具体的には、図５に示すように、ベース部材２の一部、図示の例では他方の側縁部側でパンチ刃５の近傍から該パンチ刃５よりも長手方向外側の一部に、ベース部材２の裏面側から綴じ足を通すことのできる貫通孔１１と、貫通孔を通過した綴じ足を固定することが可能な綴じ足保持部１２とが設けられている。
【００３８】
この実施形態の穴開けパンチ１では、貫通孔１１が、他方の側縁に、パンチ刃支持部２ａの長手方向外側に隣接する位置で開口するものである。またここでは、綴じ足保持部１２は、図６に示すように、貫通孔１１よりも長手方向外側に隣接して位置し、綴じ足の途中の部分が配置される溝部１２ａ、及び、溝部１２ａよりもさらに長手方向外側に形成されて、綴じ足の先端側部分を溝部１２ａとは逆側から押えて固定する固定部１２ｂを有するものとしている。なお、溝部１２ａの底面には、綴じ足保持部１２に保持される綴じ足の延びる方向に互いに所定の間隔をおいて複数のハンプ部１３を形成している。
【００３９】
穴開けパンチ１は、上述したような貫通孔１１及び綴じ足保持部１２を有することにより、綴じ足を用いた綴じ具の押え部材としても用いることができる。ユーザは、先述したように穴開けパンチ１のパンチ刃５及びパンチ穴６による紙の穿孔を行った後、穴開けパンチ１を用いて、その紙を綴じ込むことができる。
【００４０】
図７にベース部材２の裏側を示すように、パンチ刃支持部２ａの縁部で、貫通孔１１の開口部に隣接する部分は、面取りになる斜面１４とすることが、綴じ足の脱着を容易にするとの観点から好ましい。
【００４１】
なお、ベース部材２の一方の側縁部側で、ベース部材２の長手方向の中央領域及び外側領域のそれぞれには、紙の穿孔に際して紙が紙載置面４上に載置されたときに、その紙から覆い被さる平面視で略台形形状の紙押え部１５ｂと、略長方形状の平板部１５ａを設けることができる。より詳細には、この例の平板部１５ａ及び紙押え部１５ｂは、ベース部材２と可動部材３とを連結するヒンジ部を隔てて設けられている。紙押え部１５ｂは、紙載置面４上にその紙載置面４から若干間隔をおいて配置され得る。なおここで、可動部材３の、近接姿勢で平板部１５ａ及び紙押え部１５ｂ上に位置する部分は、平板部１５ａ及び紙押え部１５ｂと干渉しないように空所としている。
また、この穴開けパンチ１では、ベース部材２の一方の側縁部における長手方向の中央領域を部分的に除去し、そこに平面視で台形状の切欠き部１６を設けている。切欠き部１６は、近接姿勢の可動部材３をベース部材２から離隔変位させる際に、ユーザの指が入り込んで、可動部材３の把持を容易にするためのものである。
そしてまた、平板部１５ａの表面には、目視による紙のセンターとの位置合わせに用いることができる三角形状もしくはＶ字状等の矢印その他の表示を設けることができる。この表示は、平板部１５ａの表面に刻印するか、または該表面の一部を隆起もしくは陥没させるか、あるいは該表面へのシール等の貼付等により形成することができる。
【００４２】
図８に、他の実施形態の穴開けパンチ２１を示す。
図８の穴開けパンチ２１は、先に述べた切欠き部１６を無くすとともに、ベース部材２２の長手方向の中央領域に、中央域を他方の側縁部側に台形状に突出させて紙押え部３５ａを設けたことを除いて、図１に示す穴開けパンチ１と実質的に同様の構成を有するものである。
【００４３】
また図９に、さらに他の実施形態の穴開けパンチ４１を示す。
この穴開けパンチ４１は、異なる形状ないし構造の貫通孔５１及び綴じ足保持部５２に変更するとともに、ベース部材４２の長手方向の外側領域の紙押え部５５ｂの形状を、平面視で略長方形状にしたことを除いて、図８の穴開けパンチ２１と実質的に同様の構成を有する。
【００４４】
特に、図９の穴開けパンチ４１の綴じ足保持部５２では、貫通孔５１は、他方の側縁部に開口せずに、ベース部材４２内に収まる平面視で矩形状等の形状を有する。また、綴じ足保持部５２は、図１０に示すように、貫通孔５１の長手方向外側に隣接して長手方向の端部まで延びる溝部５２ａと、溝部５２ａの両側面のそれぞれに底面から開口部側に間隔をおいて設けられ、長手方向に延びる突出部５２ｂとを含むものである。この構成によれば、綴じ足を、貫通孔５１から通した後に溝部５２ａ内に沿わせて嵌め合わせることにより、綴じ足が、溝部５２ａの両側面の突出部５２ｂに引っ掛かって係合する。
なおここでも、溝部５２ａの底面に、複数のハンプ部５３が形成されている。
【００４５】
以上に述べた穴開けパンチ１、２１及び４１では、該穴開けパンチ１、２１及び４１が備えるベース部材２、２２及び４２ならびに、可動部材３、２３及び４３のそれぞれが、たとえば、プラスチック製で一体に形成されたものとすることができる。
【符号の説明】
【００４６】
１、２１、４１  穴開けパンチ
２、２２、４２  ベース部材
２ａ、２２ａ、４２ａ  パンチ刃支持部
３、２３、４３  可動部材
３ａ、２３ａ、４３ａ  パンチ穴形成部
４、２４、４４  紙載置面
５、２５、４５  パンチ刃
６、２６、４６  パンチ穴
７、２７、４７  紙挟み部
８、２８、４８  低位面
９、２９、４９  整合面
１０、３０、５０  ロック機構
１０ａ、３０ａ、５０ａ  係合凸部
１０ｂ、３０ｂ、５０ｂ  係合凹部
１１、３１、５１  貫通孔
１２、３２、５２  綴じ足保持部
１２ａ、５２ａ  溝部
１２ｂ  固定部
５２ｂ  突出部
１３、５３  ハンプ部
１４  斜面
１５ａ  平板部
１５ｂ、３５ａ、３５ｂ、５５ａ、５５ｂ  紙押え部
１６  切欠き部
Ｐｓ  紙載置面がある平面
【図１】
2020097086.tif 000003
【図２】
2020097086.tif 000004
【図３】
2020097086.tif 000005
【図４】
2020097086.tif 000006
【図５】
2020097086.tif 000007
【図６】
2020097086.tif 000008
【図７】
2020097086.tif 000009
【図８】
2020097086.tif 000010
【図９】
2020097086.tif 000011
【図１０】
2020097086.tif 000012